(57)【要約】【課題】  本発明はスキージ支持体のストロークよりもわずかに大きいスキージ保持フレームで、高速、低騒音でスキージ支持体を往復移動させることができる小型化、高速化を図ることができるスクリーン印刷機を得るにある。【解決手段】  スキージ保持フレームと、このスキージ保持フレームにスライド移動可能に取付けられたスキージを支持するスキージ保持体と、このスキージ保持体をスライド移動させるスキージ保持体作動装置とからなるスクリーン印刷機において、前記スキージ保持体作動装置を前記スキージ保持フレームの両側部に取付けられた一対のステーターと、この一対のステーター上をそれぞれ走行する前記スキージ保持体の両端部が取付けられた一対のフォーサーと、この一対のフォーサーを往復移動させる制御回路とからなるリニアモーターとでスクリーン印刷機を構成している。【選択図】  図１
2005288791.tif 000002
【特許請求の範囲】
【請求項１】
スキージ保持フレームと、このスキージ保持フレームにスライド移動可能に取付けられたスキージを支持するスキージ保持体と、このスキージ保持体をスライド移動させるスキージ保持体作動装置とからなるスクリーン印刷機において、前記スキージ保持体作動装置を前記スキージ保持フレームの両側部に取付けられた一対のステーターと、この一対のステーター上をそれぞれ走行する前記スキージ保持体の両端部が取付けられた一対のフォーサーと、この一対のフォーサーを往復移動させる制御回路とからなるリニアモーターを用いたことを特徴とするスクリーン印刷機。
【発明の詳細な説明】
【技術分野】
【０００１】
本発明は高速印刷が可能なスクリーン印刷機に関する。
【背景技術】
【０００２】
従来のスクリーン印刷機は、スキージ保持フレームにスライド移動可能に取付けられたスキージを支持するスキージ支持体をエアーシリンダーで往復移動させている。
【０００３】
このため、スキージ保持フレームを往復移動方向に長く設定しなければスキージ支持体のストロークを十分に確保することができず、大型化するという欠点があるとともに、高速でスキージ支持体を移動させることができないという欠点があった。
【特許文献１】特開平３−４５１３０
【発明の開示】
【発明が解決しようとする課題】
【０００４】
本発明は以上のような従来の欠点に鑑み、スキージ支持体のストロークよりもわずかに大きいスキージ保持フレームで、高速、低騒音でスキージ支持体を往復移動させることができる小型化、高速化を図ることができるスクリーン印刷機を提供することを目的としている。                  
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はスキージ保持フレームと、このスキージ保持フレームにスライド移動可能に取付けられたスキージを支持するスキージ保持体と、このスキージ保持体をスライド移動させるスキージ保持体作動装置とからなるスクリーン印刷機において、前記スキージ保持体作動装置を前記スキージ保持フレームの両側部に取付けられた一対のステーターと、この一対のステーター上をそれぞれ走行する前記スキージ保持体の両端部が取付けられた一対のフォーサーと、この一対のフォーサーを往復移動させる制御回路とからなるリニアモーターとでスクリーン印刷機を構成している。
【発明の効果】
【０００７】
以上の説明から明らかなように、本発明にあっては次に列挙する効果が得られる。
【０００８】
（１）スキージ保持フレームにスライド移動可能に取付けられたスキージを支持するスキージ保持体と、このスキージ保持体をスライド移動させるスキージ保持体作動装置とからなるスクリーン印刷機において、スキージ保持体作動装置をスキージ保持フレームの両側部に取付けられた一対のステーターと、この一対のステーター上をそれぞれ走行するスキージ保持体の両端部が取付けられた一対のフォーサーと、この一対のフォーサーを往復移動させる制御回路とで構成されているので、スキージ保持フレームの両側面に取付ける一対のステーター上を一対のフォーサーを走行させることができる。
したがって、従来のエアーシリンダーのようにスキージ保持体のストローク部位以外にシリンダーを設ける必要がなく、スキージ保持フレームを小さくでき、小型コンパクト化を図ることができる。
【０００９】
（２）前記（１）によって、スキージ保持体の往復移動をリニアモーターで行なうので、低騒音で高速で、低コストで行なうことができる。
【００１０】
（３）前記（１）によって、スキージ保持フレームの両側面にフォーサーを備える一対のステーターを取付けるだけでよいので、スキージ保持フレーム部分の幅方向の寸法も必要以上に大きくなるのを阻止できる。
【発明を実施するための最良の形態】
【００１１】
以下、図面に示す本発明を実施するための最良の形態により、本発明を詳細に説明する。
【００１２】
図１ないし図９に示す本発明を実施するための最良の第１の形態において、１は本発明のスクリーン印刷機で、このスクリーン印刷機１は四隅寄りの底面にキャスター２、２、２、２および高さ調整脚部材３、３、３、３が取付けられた機枠４と、この機枠４の上部に取付けられた印刷テーブル５と、前記機枠４の後部寄りの両側部より上方へ突出させた軸受部材６、６と、この軸受部材６、６に回動可能に支持された軸７に取付けられたスクリーン印刷版取付けフレーム８と、このスクリーン印刷版取付けフレーム８に印刷画像が形成されたスクリーン印刷版９を着脱可能に取付ける、該スクリーン印刷版取付けフレーム８に形成された複数個のボルト挿入孔１０、１０、１０、１０、このボルト挿入孔１０、１０、１０、１０と対応する部位のスクリーン印刷版９のフレーム９ａに形成されたねじ孔１１、１１、１１、１１、前記ボルト挿入孔１０、１０、１０、１０を通過して前記ねじ孔１１、１１、１１、１１と螺合するボルト１２、１２、１２、１２、このボルト１２、１２、１２、１２が挿入され高さを調整する高さ調整用スペーサ１３、１３、１３とからなる取付け具１４、１４、１４、１４と、前記軸７に取付けられたスキージ保持フレーム１５と、このスキージ保持フレーム１５の先端部とスクリーン印刷版取付けフレーム８の先端部とを固定するフレーム固定手段１６と、前記機枠４の後部寄りの部位に回動可能に取付けられた、前記スキージ保持フレーム１５を１回の印刷毎に所定量回動させる油圧あるいはエアー等のシリンダーを用いたスキージ保持フレーム回動装置１７と、前記スキージ保持フレーム１５の両側内壁面に取付けられた一対のステーター１８、１８、この一対のステーター１８、１８上をそれぞれ走行する一対のフォーサー１９、１９、この一対のフォーサー１９、１９を往復移動させる制御回路２０とからなるリニアモーター２１と、このリニアモーター２１のフォーサー１９、１９に両端部が固定されたスキージ保持体２２と、このスキージ保持体２２にスキージホルダー２３を介して取付けられたスキージ２４を上下移動させる油圧あるいはエアー等のシリンダーを用いたスキージ押し圧機構２５、２５と、前記スキージ保持体２２に取付けられたスクレッパー２６を上下移動させる油圧あるいはエアー等のシリンダーを用いたスクレッパー移動装置２７とで構成されている。
【００１３】
上記構成のスクリーン印刷機１は、スクリーン印刷版取付けフレーム８にスクリーン印刷版９を取付け、スキージ保持フレーム１５およびスクリーン印刷版取付けフレーム８をスキージ保持フレーム回動装置１７を作動させて上方へ回動させ、印刷テーブル５上に印刷する被印刷体２８をセットする。
しかる後、スキージ保持フレーム回動装置１７を作動させて被印刷体２８上にスクリーン印刷版９を位置させる。
次に、スキージ押し圧機構２５、２５を作動させてスキージ２４を下方へ押し下げ、スクリーン印刷版９の画像形成部を印刷する被印刷体２８を押し圧する状態にする。
しかる後、リニアモーター２１を駆動させて、スキージ保持フレーム１５が取付けられたフォーサー１９、１９を移動させて、スクリーン９ｂ上のインキを画像形成部より被印刷体２８へ押し出し印刷を行なう。
【００１４】
次に、スキージ保持フレーム回動装置１７を作動させて、スキージ保持フレーム１５およびスクリーン印刷版取付けフレーム８を上方へ回動させるとともに、スキージ押し圧機構２５、２５が作動してスキージ２４を上方へ持ち上げる。
また、スクレッパー移動装置２７を作動させて、スクレッパー２６を下方へ押し下げ状態にして、リニアモーター２１を作動させてインキおよびスキージ２４を元の位置に戻す。
[発明を実施するための異なる形態]
【００１５】
次に、図１０ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１６】
図１０ないし図１２に示す本発明を実施するための第２の形態において、前記
本発明を実施するための最良の第１の形態と主に異なる点は、スキージ保持フレーム１５の両側部の下部に一対のステーター１８、１８を固定したリニアモーター２１を用いた点で、このように構成したスクリーン印刷機１Ａにしても、前記本発明を実施するための最良の第１の形態と同様な作用効果が得られる。
【００１７】
図１３ないし図１５に示す本発明を実施するための第３の形態において、前記本発明を実施するための最良の第１の形態と主に異なる点は、スキージホルダー２３にスキージング時に超音波、音波等の振動を付与して、粘度の高いインキでもスムーズにスクリーンの画像形成部より押し出せる振動付与装置２９を用いた点で、このように構成したスクリーン印刷機１Ｂにしても、前記本発明を実施するための最良の第１の形態と同様な作用効果が得られる。
なお、本発明を実施するための形態では、印刷テーブル５をスキージング時に振動できるように振動付与装置を取付けてもよい。
【産業上の利用可能性】
【００１８】
本発明はスクリーン印刷機を製造する産業および使用する産業で利用される。
【図面の簡単な説明】
【００１９】
【図１】本発明を実施するための最良の第１の形態の正面図。
【図２】本発明を実施するための最良の第１の形態の側面図。
【図３】スクリーン印刷版取付けフレームの要部説明図。
【図４】図３の４−４線に沿う断面図。
【図５】スキージ保持フレームの平面図。
【図６】スキージ保持フレームの側面図。
【図７】図５の７−７線に沿う断面図。
【図８】本発明を実施するための最良の第１の形態のスキージ取付け部の説明図。
【図９】本発明を実施するための最良の第１の形態の動作説明図。
【図１０】本発明の第２の実施の形態の正面図。
【図１１】本発明の第２の実施の形態の側面図。
【図１２】本発明の第２の実施の形態のリニアモーターの取付け状態の説明図。
【図１３】本発明の第３の実施の形態の正面図
【図１４】本発明の第３の実施の形態の側面図。
【図１５】本発明の第３の実施の形態の振動付与装置の取付け状態の説明図。
【符号の説明】
【００２０】
１、１Ａ、１Ｂ：スクリーン印刷機、  ２：キャスター、                
３：高さ調整脚部材、                ４：機枠、
５：印刷テーブル、                  ６：軸受部材、
７：軸、
８：スクリーン印刷版取付けフレーム、
９：スクリーン印刷版、              １０：ボルト挿入孔、
１１：ねじ孔、                      １２：ボルト、
１３：高さ調整用スペーサ、          １４：取付け具、
１５：スキージ保持フレーム、        １６：固定手段、
１７：スキージ保持フレーム回動装置、１８：ステーター、
１９：フォーサー、                  ２０：制御回路、
２１：リニアモーター、              ２２：スキージ保持体、
２３：スキージホルダー、            ２４：スキージ、
２５：スキージ押し圧機構、          ２６：スクレッパー、
２７：スクレッパー移動装置、        ２８：被印刷体、
２９：振動付与装置。
【図１】
2005288791.tif 000003
【図２】
2005288791.tif 000004
【図３】
2005288791.tif 000005
【図４】
2005288791.tif 000006
【図５】
2005288791.tif 000007
【図６】
2005288791.tif 000008
【図７】
2005288791.tif 000009
【図８】
2005288791.tif 000010
【図９】
2005288791.tif 000011
【図１０】
2005288791.tif 000012
【図１１】
2005288791.tif 000013
【図１２】
2005288791.tif 000014
【図１３】
2005288791.tif 000015
【図１４】
2005288791.tif 000016
【図１５】
2005288791.tif 000017